(57)【要約】【課題】製造作業の時間と労力が節約でき、しわがよりにくく見栄えの良いポンポンを提供する。【解決手段】細長いテープ１の中央をこの長手方向を軸とした軸回りに捻る（図２（Ａ））。そして、この捻ったもの複数を、前記長手方向を同じ方向にして結束する（図２（Ｂ））。この結束したもの３本を、前記結束の軸方向を互いに略９０度変えることで、さらに立体的に結束する（図１）。テープ１を捻るのは、結束が未だされていないテープ１を一枚ずつ捻ればよく、楽にできる。また、二つの結束工程も、捻ったり引っ張ったりする必要がない。このため、製造作業の時間と労力が節約できる。また、テープ１を捻るのは、結束が未だされていないテープ１の中央のみを一枚ずつ捻ればよく、テープ１の両端には、捻ったり引っ張ったりする必要がないので、テープ１にしわがよりにくい。【選択図】図1
2007077520.tif 000002
【特許請求の範囲】
【請求項１】
細長いテープの中央をこの長手方向を軸とした軸回りに捻る捻り、この捻ったもの複数を、前記長手方向を同じ方向にして結束し、この結束したもの複数を、前記結束の軸方向を変えることで立体的に結束した構造を有することを特徴とするポンポン。
【請求項２】
細長いテープの中央をこの長手方向を軸とした軸回りに捻る捻り、この捻ったもの複数を、前記長手方向を同じ方向にして結束し、この結束したもの３本を、前記結束の軸方向を互いに略９０度変えることで立体的に結束した構造を有することを特徴とするポンポン。
【請求項３】
細長いテープの中央をこの長手方向を軸とした軸回りに捻る捻り工程と、この捻ったもの複数を、前記長手方向を同じ方向にして結束する第１結束工程と、この結束したもの複数を、前記結束の軸方向を変えることで立体的に結束する第２結束工程と、を有することを特徴とするポンポン製造方法。    
【請求項４】
細長いテープの中央をこの長手方向を軸とした軸回りに捻る捻り工程と、この捻ったもの複数を、前記長手方向を同じ方向にして結束する第１結束工程と、この結束したもの３本を、前記結束の軸方向を互いに略９０度変えることで立体的に結束する第２結束工程と、を有することを特徴とするポンポン製造方法。
【発明の詳細な説明】
【技術分野】
【０００１】
この発明は、スポーツの応援などで使用するポンポンの構造及び製造方法に関する。
【背景技術】
【０００２】
ポンポンは、チアガールや各スポーツの応援、またバトントワリング競技のポンポン編成の種目の手具として使う用具である。その構造は、布やテープを束ね略球状にしたもの（図５参照）である。
【０００３】
従来のポンポンの製造方法は、図４に示すように、一定の長さのテープ１１を真ん中で三つ折１３にし（図４（Ａ））、それを例えば１００枚前後重ねて紐１５などで結束（図４（Ｂ））する。その後、その両端部を一枚一枚広げていく（図４（Ｃ））。
【０００４】
この作業は、２人がかりで行い、一人が、結束したテープ１１束を押さえ、もう一人がテープ１１を一枚ずつ捻りながら強く引っ張り広げていく。捻ることで、広げたテープ１１が元に戻ることを防ぐ。そして、略球状にしたもの（図５（Ａ））がポンポンとして完成する。
【０００５】
なお、ポンポンに関する文献には、下記の特許文献１、２が存在する。
【特許文献１】実用新案公告昭６１−２４２９１
【特許文献２】実開平５−３３７９８８
【発明の開示】
【発明が解決しようとする課題】
【０００６】
しかしながら、前記従来のポンポンの製造方法では、結束したテープ１１を捻りながら引っ張り広げていくときに、引っ張り方が弱かったりすると、中心部１７の束になって広げられない部分が大きくなる。そうなると完成したときの球状の直径も小さくなってしまう（図５（Ａ））。どれだけ中心部１７が小さくなるかで、仕上がりの球状がきれいになるかが決まる。作業の途中で、広げられない中心部１７が大きくなれば、再度はじめからのやり直しになる。
【０００７】
そのため、大きな球状のきれいなものを作ろうとすると、広げる作業だけでかなりの時間と労力がかかかる。
また、捻りながら強く引っ張り広げていく必要があるため、テープ１１もしわがより、仕上がりの見栄えもよくない。
この発明は、以上の問題点を解決するために、製造作業の時間と労力が節約でき、しわがよりにくく見栄えの良いポンポン及びその製造方法を提供することを目的とする。
【課題を解決するための手段】
【０００８】
以上の課題を解決するために、第一発明は、 細長いテープの中央をこの長手方向を軸とした軸回りに捻る捻り、この捻ったもの複数を、前記長手方向を同じ方向にして結束し、この結束したもの複数を、前記結束の軸方向を変えることで立体的に結束した構造を有することを特徴とするポンポンである。
【０００９】
第二発明は、細長いテープの中央をこの長手方向を軸とした軸回りに捻る捻り、この捻ったもの複数を、前記長手方向を同じ方向にして結束し、この結束したもの３本を、前記結束の軸方向を互いに略９０度変えることで立体的に結束した構造を有することを特徴とするポンポンである。
【００１０】
第三発明は、細長いテープの中央をこの長手方向を軸とした軸回りに捻る捻り工程と、この捻ったもの複数を、前記長手方向を同じ方向にして結束する第１結束工程と、この結束したもの複数を、前記結束の軸方向を変えることで立体的に結束する第２結束工程と、を有することを特徴とするポンポン製造方法である。    
第四発明は、細長いテープの中央をこの長手方向を軸とした軸回りに捻る捻り工程と、この捻ったもの複数を、前記長手方向を同じ方向にして結束する第１結束工程と、この結束したもの３本を、前記結束の軸方向を互いに略９０度変えることで立体的に結束する第２結束工程と、を有することを特徴とするポンポン製造方法である。
【発明の効果】
【００１１】
第一、第二、第三、又は第四発明によれば、テープを捻るのは、結束が未だされていないテープを一枚ずつ捻ればよく、楽にできる。また、二つの結束工程も、捻ったり引っ張ったりする必要がない。このため、製造作業の時間と労力が節約できる。
また、テープを捻るのは、結束が未だされていないテープの中央のみを一枚ずつ捻ればよく、テープの両端には、捻ったり引っ張ったりする必要がないので、テープにしわがよりにくく見栄えの良いポンポンが提供できる。
【００１２】
第二、又は第四発明によれば、さらに、結束したもの３本をこの結束の軸方向を互いに略９０度変えることで立体的に結束したので、少ない本数で、球状のポンポンを提供できる。
【発明を実施するための最良の形態】
【００１３】
この発明の実施形態を、図１〜図３に示す。
細長いテープ１は、幅５ｃｍ、長さ２１ｃｍで、材質はＰＥＴ(ポリエチレンテレフタレート）である。枚数は一例として１００枚用意する。そして、まず、テープ１の中央を、テープ１の長手方向を軸とした軸回りに、２回から５回くらい捻る（図２（Ａ））。この捻り工程を各テープ１に行う。そして、この捻ったものを、全枚数の１／３枚数分、すなわち３３枚を、結束する（図２（Ｂ））。この第１結束工程では、テープ１の長手方向を同じ方向にして、紐３で結束する。紐３は１箇所留め、２箇所留め、あるいは３箇所留めにする。紐３は仮止めとして最終的には撤去することも可能である。
【００１４】
このように第１結束工程で結束した束Ｂを３本、用意し、結束の軸方向を互いに略９０度変えることで立体的に配置し（図１（Ａ）（Ｂ））、その配置により略球状を得る。この立体的な配置のまま、各結束の中心を、紐４で結束する（図１（Ｃ））。この紐３は、複数本を用いることで、長時間の使用などにより１本が切れても、ポンポンの球状が維持できる。
この第２結束工程の後に、全体の形を簡単に整えて、略球状のポンポン５が得られる（図３、図５（Ｂ））。
「実施形態の効果」
この実施形態によれば、テープ１を捻るのは、結束が未だされていない各テープ１を一枚ずつ捻ればよく（図２（Ａ））、楽に作業ができる。また、二つの結束工程（図２（Ｂ）、図１）も、捻ったり引っ張ったりする必要がない。このため、製造作業の時間と労力が節約できる。
【００１５】
また、テープ１を捻るのは、結束が未だされていないテープ１の中央のみを一枚ずつ捻ればよく、テープ１の両端には、捻ったり引っ張ったりする必要がない（図２（Ａ））ので、テープの見える部分にしわがよりにくく、見栄えの良いポンポン５が提供できる。
さらに、結束した束Ｂの３本を、この結束の軸方向を互いに略９０度変えることで立体的に結束した（図１（Ａ）（Ｂ）（Ｃ））ので、少ない本数で、美しい略球状のポンポン５（図３、図５（Ｂ））を提供できる。
【００１６】
（従来との比較）
この実施形態と同じ材質、同じ寸法、同じ枚数ののテープ１により、従来の方法で製造したポンポン７との比較を行った。図５の小さなポンポン７が従来のもので直径はおおよそ１５ｃｍである。大きなポンポン５がこの実施形態のもので直径はおおよそ２１センチである。この実施形態のものの方が、テープ１のしわも少なく、見た目も美しい。
【００１７】
「他の実施形態」
以上の実施形態では、第１結束したもの３本を第１結束の軸方向を互いに略９０度変えた配置で第２結束を行い、略球状のポンポン５を得たが、他の実施形態では、第１結束したもの４本以上、あるいは２本用いるものでもよい。第１結束したもの複数を第１結束の軸方向を変えることで立体的に結束した構造により、美しいポンポンが得られる。
【００１８】
以上の実施形態では、テープ１の材質は、ＰＥＴ(ポリエチレンテレフタレート）であったが、他の実施形態では、布、ビニール、ポリエステル、グラスファイバーなどであってもかまわない。要は、束ねることができるものであれば構わない。
【図面の簡単な説明】
【００１９】
【図１】（Ａ）この発明の一実施形態を示すポンポンの製造で、第２結束工程を示す分解斜視図、（Ｂ）は（Ａ）の中心部分の結束前の斜視図、（Ｃ）は（Ｂ）の中心の中心部分の結束後の斜視図である。
【図２】（Ａ）はこの発明の一実施形態を示すポンポンの製造で、細長いテープの中央を捻る捻り工程を示す斜視図、（Ｂ）は（Ａ）のテープを複数枚結束する第１結束工程を示す斜視図である。
【図３】この発明の一実施形態を示す略球状のポンポンの全体斜視図である。
【図４】従来のポンポンの製造方法を示すもので、（Ａ）は一定の長さのテープを真ん中で三つ折にした斜視図、（Ｂ）は（Ａ）のテープ複数を重ねて紐などで結束した斜視図、（Ｃ）は（Ｂ）の両端部を一枚一枚広げていく状態を示す斜視図である。
【図５】従来のポンポン（Ａ）と、この発明の一実施形態を示すポンポン（Ｂ）と、を比較して示す全体図である。
【符号の説明】
【００２０】
１…テープ、３、４…紐、Ｂ・・束、５…ポンポン、７・・従来のポンポン、１１…テープ、１３…折、１５…紐。
【図１】
2007077520.tif 000003
【図２】
2007077520.tif 000004
【図３】
2007077520.tif 000005
【図４】
2007077520.tif 000006
【図５】
2007077520.tif 000007